(57)【要約】  従来の実装より小さな（コンパクトな）構成の画像光プロバイダの均一な光学照明のためのシステムであって、上記システムは、相互に平行な第１の外面および第２の外面と、第１の一連のファセットであって、少なくともその一部は、複数の平行な、部分的に反射する偏光選択面であり、第１および第２の外面に対して斜角であり、ならびに第１の外面と第２の外面との間にある、第１の一連のファセットとを含む、導光体と、全面照射型反射偏光回転画像変調器であって、第１の外面からカップルアウトされた光を空間的に調整するために配置され、画像に対応する反射光を出力し、および、上記反射光が、第１の外面から、第１の一連のファセットを通って、第２の外面へと導光体を横断するように配置される、全面照射型反射偏光回転画像変調器と、を含む。【選択図】３Ｂ
2020528569.tif 000002
【特許請求の範囲】
【請求項１】
光学系であって、前記光学系は：
（ａ）導光体であって：
（ｉ）相互に平行な第１の外面および第２の外面と、
（ｉｉ）第１の一連のファセットであって、少なくともその一部は：
（Ａ）複数の平行な、部分反射する偏光選択面であり、
（Ｂ）前記第１の外面および前記第２の外面に対して斜角であり、および
（Ｃ）前記第１の外面および前記第２の外面の間にある、第１の一連のファセットと、
を含む導光体と、
（ｂ）全面照射型反射偏光回転画像変調器であって：
（ｉ）前記第１の外面からカップルアウトされた光を空間的に調整するために配置され、
（ｉｉ）画像に対応する反射光を出力し、ならびに、
（ｉｉｉ）前記反射光が、前記第１の外面から、前記第１の一連のファセットを通って、前記第２の外面へと前記導光体を横断するように配置される、全面照射型反射偏光回転画像変調器と、
を含む、光学系。
【請求項２】
前記ファセットの各々は、前記第１の偏光の少なくとも一部を反射し、前記第１の偏光の残りの部分を透過させ、および第２の偏光を透過させる、請求項１に記載の光学系。
【請求項３】
前記第１の偏光の反射率は、前記第１の一連のファセット内の１つのファセットから後続のファセットへと増加する、請求項２に記載の光学系。
【請求項４】
前記第１の偏光は前記第１の外面からカップルアウトされ、前記反射光が前記第２の偏光のものである、請求項２に記載の光学系。
【請求項５】
前記第１の一連のファセットは、前記導光体へとカップルインされた光を拡大し、前記光が前記第１の外面から均一にカップルアウトされる、請求項１に記載の光学系。
【請求項６】
前記画像変調器は反射型液晶（ＬＣＯＳ）マトリックスである、請求項１に記載の光学系。
【請求項７】
前記ファセットは、
（ａ）多層コーティング；
（ｂ）誘電体コーティング；および、
（ｃ）ワイヤグリッド、からなる群から選択される技術を使用して少なくとも部分的に構築される、請求項１に記載の光学系。
【請求項８】
前記ファセットの主軸の配向は前記ファセットの反射率を決定する、請求項７に記載の光学系。
【請求項９】
前記ファセットの各々の反射率は、光が前記ファセットに入射する角度に依存する、請求項１に記載の光学系。
【請求項１０】
前記第１の一連のファセットは、前記第１の外面からの光のカップルアウトを実行するように構成され、前記第１の一連のファセットは、前記第１の外面からカップルアウトする光の公称観測点への視線と重なる一定数のファセットを有する、請求項１に記載の光学系。
【請求項１１】
（ｉｉｉ）第２の一連のファセットであって、少なくともその一部は：
（Ａ）複数の平行な、部分反射する偏光選択面であり、
（Ｂ）前記第１の外面および前記第２の外面に対して斜角であり、および、
（Ｃ）前記第１の外面および前記第２の外面の間にある、第２の一連のファセットをさらに有し、
ここで、前記第１の一連のファセットおよび前記第２の一連のファセットのファセットは、互いに平行ではない、請求項１に記載の光学系。
【請求項１２】
前記一連のファセットの各々は範囲の領域に広がり、この広がりは、前記一連のファセットの各々が配置される領域であり、ここで、第１および第２の一連のファセットの前記範囲の領域は少なくとも部分的に重なる、請求項１１に記載の光学系。
【発明の詳細な説明】
【技術分野】
【０００１】
本発明は、一般に光学照明に関し、特に、画像光プロバイダの均一照明に関する。
【背景技術】
【０００２】
図１を参照すると、照明のためのアーキテクチャの従来の実装が示される。光源（２Ｌ）は、偏光されていない、均一に照射された入力ビーム（４Ｌ）を生成する。偏光されていない入力ビーム（４Ｌ）は偏光子（１０３）によって偏光され、偏光されて均一に照射された入力ビーム（４Ｌ）を生成し、これは、偏光されたＳ−ｐｏｌ（Ｓ−偏光）であると仮定される。偏光された入力ビーム（４Ｐ）は、偏光ビームスプリッタ（ＰＢＳ）（１０４）に入力され、反射型液晶（ｌｉｑｕｉｄ  ｃｒｙｓｔａｌ  ｏｎ  ｓｉｌｉｃｏｎ）（ＬＣＯＳ）マトリックス（１０６）への光線（１２４）として、偏光選択反射板（１０５）によって反射される。ＬＣＯＳマトリックス（１０６）は、ＬＣＯＳの正面から照射され、照明の偏光を変更することによって反射光を画像として空間的に調整し、および画像光線（１２６）として光を反射し返す。ＬＣＯＳは、光線（１２４）のＳ−ｐｏｌから光線（１２６）中の白ピクセルのＰ−ｐｏｌ（Ｐ−偏光）への反射光の偏光を回転させるが、黒ピクセルの偏光は変化しない（Ｓ−ｐｏｌのままである）。光線（１２６）中にＰ−偏光を有する白ピクセルからの光は偏光選択反射板（１０５）を通るが、光線（１２６）中にＳ−偏光を有する黒ピクセルからの光は偏光選択反射板（１０５）を通らない。その後、Ｐ−ｐｏｌ光線（１２６）は、（一般的に、レンズとして概略的に表された投射系の）投射光学系（１０７）へと伝播する。特定の適用の必要性に応じて、投射光学系（１０７）はコリメーションおよび他の機能を実行する。
【発明の概要】
【０００３】
本実施形態の教示によると、光学系デバイスが提供され、上記光学系は：導光体であって、相互に平行な第１の外面および第２の外面と、第１の一連のファセットであって、少なくともその一部が、複数の平行な、部分反射する偏光選択面であり、第１の外面および第２の外面に対して斜角であり、第１の外面と第２の外面と間にある、第１の一連のファセットと、を有する導光体と、全面照射型反射偏光回転画像変調器（ｆｒｏｎｔ−ｌｉｔ  ｒｅｆｌｅｃｔｉｖｅ  ｐｏｌａｒｉｚａｔｉｏｎ  ｒｏｔａｔｉｎｇ  ｉｍａｇｅ  ｍｏｄｕｌａｔｏｒ）であって、第１の外面からカップルアウトされた光を空間的に調整するために配置され、画像に対応する反射光を出力し、および、上記反射光が第１の外面から、第１の一連のファセットを通って、第２の外面へと導光体を横断するように配置される、全面照射型反射偏光回転画像変調器と、を含む。
【０００４】
随意の実施例では、ファセットの各々は、少なくとも第１の偏光の一部を反射し、上記第１の偏光の残りの部分を透過させ、および第２の偏光を透過させる。
【０００５】
別の随意の実施例では、第１の偏光の反射率は第１の一連のファセット内の１つのファセットから後続のファセットへと増加する。
【０００６】
別の随意の実施例では、第１の偏光は第１の外面からカップルアウトされ、反射光は第２の偏光のものである。
【０００７】
別の随意の実施例では、第１の一連のファセットは、光が第１の外面に均一にカップルアウトされるように、導光体にカップルインされた光を拡大する。
【０００８】
別の随意の実施例では、上記画像変調器は反射型液晶（ＬＣＯＳ）マトリックスである。
【０００９】
別の随意の実施例では、ファセットは、以下からなる群から選択される技術を使用して、少なくとも部分的に構築される：多重コーティング、誘電体コーティング、およびワイヤグリッド。
【００１０】
別の随意の実施例では、ファセットの主軸の配向は、ファセットの反射率を決定する。
【００１１】
別の随意の実施例では、ファセットの各々の反射率は、光がファセットに入射する角度に依存する。
【００１２】
別の随意の実施例では、第１の一連のファセットは、第１の外面からの光のカップルアウトを実行するように構成され、上記第１の一連のファセットは、第１の外面からカップルアウトされる光の公称観測点（ｎｏｍｉｎａｌ  ｐｏｉｎｔ  ｏｆ  ｏｂｓｅｒｖａｔｉｏｎ）への視線と重なる一定数のファセットを有する。
【００１３】
別の随意の実施例では、第２の一連のファセットをさらに有し：少なくともその一部は：複数の平行な、部分反射する偏光選択面であり、第１および第２の外面に対して斜角であり、ならびに上記第１および第２の外面間にあり、ここで、第１の一連のファセットおよび第２の一連のファセットのファセットは、互いに平行ではない。
【００１４】
別の随意の実施例では、一連のファセットの各々は範囲の領域に広がり、この広がりは一連のファセットの各々が配置される領域であり、ここで、第１および第２の一連のファセットの範囲の領域は少なくとも部分的に重なる。
【図面の簡単な説明】
【００１５】
実施形態は、添付の図面を参照してほんの一例として本明細書に記載されている。
【００１６】
【図１】照明のためのアーキテクチャの従来の実装を示す。
【図２】現在の実施例で使用するために構成された例示的な導光光学素子（ＬＯＥ）（９０３）の側面図を示す。
【図３Ａ】光学照明（３０２）のための例示的なコンパクトシステムの正面概略図を示す。
【図３Ｂ】光学照明（３０２）のための例示的なコンパクトシステムの側面概略図を示す。
【図３Ｃ】光源光学系（３００）の第１の例示的な実施例（３００Ｃ）の略図を示す。
【図３Ｄ】光源光学系（３００）の第２の例示的な実施例（３００Ｄ）の略図を示す。
【図４Ａ】一定の角度応答を有するファセットの側面図の略図を示す。
【図４Ｂ】異なる角度応答を有するファセットの側面図の略図を示す。
【図５Ａ】画像均一性に対する変化の効果を例証する、重ならないファセットを備えた導光体の概略図を示す。
【図５Ｂ】画像均一性に対する変化の効果を例証する、重なるファセットを備えた導光体の概略図を示す。
【図５Ｃ】３倍のファセットの略図を示す。
【図６】導光体（２０）の角度空間のアーキテクチャの略図を示す。
【図７】改善されたエネルギー抽出を有する図６の角度空間アーキテクチャの略図を示す。
【図８】図７の構成のために設計されたコーティングの性能のチャートを示す。
【図９】第２の例示的な実施例（３００Ｄ）のテーパー状の（あるいは、シリンドリカルレンズ）拡大を含む構成の角度分布の略図を示す。
【図１０Ａ】光学照明（３０２Ａ）のための第１の随意のアーキテクチャの略図を示す。
【図１０Ｂ】光学照明（３０２Ｂ）のための第２の随意のアーキテクチャの側面概略図を示す。
【図１０Ｃ】光学照明（３０２Ｂ）のための第２の随意のアーキテクチャの正面概略図を示す。
【図１１】ＡおよびＢは、導光体（１０）および（２０）内の内部ファセットによる反射過程を示す。
【発明を実施するための形態】
【００１７】
図２〜図１１Ｂ
【００１８】
本実施形態に係るシステムの原則および動作は、図面と付随する記載を参照することで一層よく理解され得る。本発明は光学照明のためのシステムである。上記システムは、従来の実装よりも小さな（コンパクトな）構成の画像光プロバイダの均一照明を容易にする。
【００１９】
従来の実装よりも小さな（コンパクトな）構成の画像光プロバイダの均一な光学照明のためのシステムであって、上記システムは、導光体であって：互いに平行な第１の外面および第２の外面と、ならびに第１の一連のファセットであって、少なくともその一部は、複数の平行な、部分反射する偏光選択面であり、第１および第２の外面に対して斜角であり、ならびに第１および第２の外面間にある、第１の一連のファセットとを含む、導光体と、全面照射型反射偏光回転画像変調器であって：第１の外面からカップルアウトされた光を空間的に調整するために配置され、画像に対応する反射光を出力し、および、上記反射光が第１の外面から、第１の一連のファセットを通って、第２の外面へと導光体を横断するように配置される、全面照射型反射偏光回転画像変調器と、を含む。
【００２０】
＜基礎技術＞
図２を参照すると、現在の実施例で使用するために構成される例示的な導光光学素子（ＬＯＥ）（９０３）の側面図が示される。コリメートされた光源（２Ｃ）は、コリメートされた入力ビーム（４Ｃ）を発する。この文書の文脈において、光源は「プロジェクタ」とも呼ばれる。光源は、レーザーあるいは単一または複数の波長を伝送するＬＥＤであり得る。光は、導光体内などの透過軸まわりで方向付けられる、複数の角度の伝播方向を有する。現在の図の単純性について、一般に、明瞭さのために透過の中心方向のみが示される。１つの光線だけが一般に示され、入射光線、入力ビーム（例えば、コリメートされた入力ビーム（４Ｃ））は、「ビーム」あるいは「入射光線」とも呼ばれる。一般に、画像が光ビームよって本明細書に表される場合はいつでも、上記ビームは画像のサンプルビームであり、これは、画像の点またはピクセルにそれぞれ対応するわずかに異なる角度で複数のビームによって典型的に形成されることに留意されたい。特に画像の先端と呼ばれる場合を除いて、例示されるビームは典型的に画像の重心である。すなわち、光は画像に対応し、中心光線は、上記画像の中心あるいは上記画像の中心ピクセルからの中心光線である。
【００２１】
第１の反射面（９１６）は、コリメートされた入力ビーム（４Ｃ）によって照射される。画像照射が導光体（９２０）にカップルインされる場合、第１の領域（９５４）は、コリメートされた入力ビーム（４Ｃ）の近位にある。内反射、典型的に、全内反射（ＴＩＲ）によって光が導光体（９２０）の内部で捕捉されるように、反射面（９１６）は、コリメートされた光源（２Ｃ）からのコリメートされた入力ビーム（４Ｃ）の入射光を少なくとも部分的に反射する。導光体（９２０）は、典型的に透明基板であり、「平面基板」、「透光性基板」および「導波路」とも呼ばれる。導光体（２０）は、第１の（後、主要）面（９２６）および前（第２、主要）面（９２６Ａ）として図面で示されている、典型的に互いに平行（相互に平行な）少なくとも２つの（主要、外部）面を含む。主要な面（９２６、９２６Ａ）に関して「前」および「後」の指定は、参照の便宜上のためであることに留意されたい。導光体（９２０）へのカップリングインは、前面、後面、側端面、あるいは任意の他の所望のカップリングイン幾何学などの様々な面からであり得る。
【００２２】
コリメートされた入力ビーム（３８）は、基板の近位端（図の右側）で導光体基板に入る。光は、導光体（９２０）と１つ以上のファセット、通常、少なくとも複数のファセット、および、典型的にはいくつかのファセットを通って、導光体（９２０）の遠位端（図の左側）へと伝播する。導光体（９２０）は、典型的には、外面の内反射によって基板内で伝播光の光線を誘導する。
【００２３】
基板（９２０）の内面からの随意の反射後、捕捉された波は、基板からの光をビューアーの目（１０）へ結合する選択反射面のセット（９２２）に達する。現在の例示的な図において、捕捉された光線は、ポイント（９４４）での２つの他の部分反射面（９２２）によって、基板（９２０）から徐々にカップルアウトされる。
【００２４】
選択反射面のセット（９２２）などの内部の部分反射面は、この文書の文脈において、一般に「ファセット」と呼ばれる。拡張現実などの用途の場合、ファセットは部分反射型であり、現実世界からの光が前面（９２６Ａ）を介して入り、ファセットを含む基板を横断し、基板を出て後面（２６）を通ってビューアーの目（２４）に至ることを可能にする。例示的な光線（９４２）は、反射面（９１６）から部分的に反射された、コリメートされた入力ビーム（４Ｃ）の光を示し、および例示的な光線（９４１）は、反射面（９１６）を介して部分的に透過した、コリメートされた入力ビーム（４Ｃ）の光を示す。
【００２５】
内部部分反射面（９２２）は一般に、導光体（９２０）の伸長方向に対して斜角（つまり、非平行、平行でも垂直でもない）で、導光体（９２０）を少なくとも部分的に横断する。部分反射は、限定されないが、ある割合の光の伝送あるいは偏光の使用を含む、様々な技術によって実行可能である。
【００２６】
導光体（９２０）は、互いに平行であり、かつ第１の対の外面に平行ではない第２の対の外面（現在の側面図中では示されない）を随意に有する。いくつかの実装形態では、第２の対の外面は第１の対の外面に垂直である。典型的には、ファセットの各々は、第２の対の外面に対して斜角である。導光体の外周面からの反射が望まれない他の場合においては、それらの外周面は典型的に、望まれない反射を最小限にするために、研磨されないままであり、および／または光吸収性物質（例えば、黒）材料でコーティングされる。
【００２７】
＜第１の実施形態＞
図３Ａおよび図３Ｂを参照すると、光学照明（３０２）のための例示的なコンパクトシステムの正面概略図と側面概略図がそれぞれ示される。従来のＰＢＳ（１０４）は、導光体（２０）（上述のＬＯＥ（９０３）と同様の）などの導光体（導波路）偏光スプリッタ（ＷＧＰＳ）と置き換えられる。光源光学系（３００）は、均一照明（４Ｐ）を有する偏光を導光体（２０）へと提供する。光源光学系（３００）は、出口幅（３００Ｗ）を有し、導光体（２０）は偏光均一照明（４Ｐ）の入力幅（２０Ｗ）を有する。導光体（２０）の側面（２１）（第２の対の外面）は、側面からのエネルギー損失を防ぐために、反射コーティングでコーティングすることができる。コリメートされた入力ビーム（４Ｃ）はＬＯＥ（９０３）によって使用されるものとして上述したが、導光体（２０）への均一照明（４Ｐ）を有する偏光は、厳密にコリメートされないが、定められた角度の範囲内の角度の広がりを照らすことが好ましい。
【００２８】
光（均一の偏光（４Ｐ））が導光体（２０）に沿って伝播するにつれて、上記光は、一連の偏光選択ファセット（９２２Ｐ）によって部分的に反射される。偏光の部分選択反射ファセット（９２２Ｐ）は、上述された偏光に基づく選択反射を有する選択反射面（ファセット）のセット（９２２）と同様である。これらの偏光選択ファセット（９２２Ｐ）は、光（３２４）の第１の偏光（例えば、Ｓ−ｐｏｌ）を反射し、光（３２６）の第２の直交する偏光（例えば、Ｐ−ｐｏｌ）を透過させる。
【００２９】
現在の実施形態の革新的な特徴は、ファセットが偏光選択的であり、部分的に反射するということである。この特徴は、導光体（２０）の生成プロセス中に実装され得る。一般的な例示的な生成方法について、米国特許第６，８２９，０９５号（２００４年１２月７日に登録され、ＬＵＭＵＳ  Ｌｔｄ．に譲渡された）を参照する。偏光選択的な部分反射ファセットを作成する好ましい方法は、導光体の板間の誘電体コーティングあるいはワイヤグリッドを使用することである。部分反射の偏光選択性を実装する他の方法を開発することができ、それは現在の実施形態に実装され得ることが予測される。ワイヤグリッドを使用する場合は、ワイヤの導電率などのワイヤグリッドのパラメータを制御することによって、ワイヤグリッド偏光子を、偏光（ワイヤと平行）に対して部分的にのみ反射させることができる。例えば、反射を少なくするために導電性の低いワイヤを使用することができる。導電率は、ワイヤ材料、厚さ、および間隔によって制御することができる。反射率を制御する他の選択肢は、ワイヤグリッドを回転させるか、あるいは「ねじる」ことである。誘電材料をワイヤグリッドと組み合わせるなどの技術の組み合わせは、ワイヤグリッド上の光の強さを制御し、したがって、反射率を制御する。偏光選択コーティングの追加情報および例示的なグラフは、例えば、米国特許第７，６４３，２１４号（２０１０年１月５日に登録され、およびＬＵＭＵＳ  Ｌｔｄ．に譲渡された）で見つけることができる。
【００３０】
第１の偏光（３２４）は、全面照射型反射偏光回転移動画像変調器、例えば、ＬＣＯＳ（１０６）へと、第１の外面（９２６）を通って導光体（２０）から出力される。現在の説明を単純化するために、ＬＣＯＳを使用する特定の実装を説明する。第１の偏光（３２４）はＬＣＯＳ（１０６）に入射する。好ましくは、第１の偏光（３２４）は、適切な中心角のまわりの光錐を有するすべてのピクセルを照らす。好ましくは、導光体（２０）は、観察可能な非均一性を防ぐために、ＬＣＯＳ（１０６）からわずかに離れていなければならない。入射する第１の偏光（３２４）は、ＬＣＯＳ（１０６）による偏光回転によって空間的に調整され、導光体（２０）へと反射される。例えば、第１の偏光（３２４）は反射され、第２の（直交する）偏光（３２６）として回転される。偏光選択ファセット（９２２Ｐ）は、この第２の偏光（３２６）に対して透過性であるように設計されているため、第２の偏光（３２６）は、第１の外面（９２６）から偏光選択ファセット（９２２Ｐ）を通って、導光体（２０）を通過（横断）し、投射光学系（１０７）に向かって第２の外面（９２６Ａ）から出る。散乱光を除去するために、随意の偏光子（３０３）が、導光体（２０）と投射光学系（１０７）との間で配置されてもよい。現在の例において、偏光子（３０３）はＰ−ｐｏｌ配向にあり、いなかるＳ−ｐｏｌ偏光もフィルタリングする。
【００３１】
図を３Ｃ参照すると、光源光学系（３００）の第１の例示的な実施形態（３００Ｃ）の概略図が示される。偏光されていない光源（２Ｕ）は、２Ｄ（二次元）導光体（９）へと垂直に導入される、（必ずしも均一ではない）偏光されていない光（４Ｕ）を放射する。光が伝播して２Ｄ導光体（９）内で反射すると、光の照射はより均一な（４Ｌ１）になる。例えば、随意のディフューザー（図示せず）は、例えば、２Ｄ導光体（９）の外面に沿って、またはその一部として、導光体（２０）の前に置くことにより、導光体（９）の出力幅にわたって光の均一性をさらに改善することができる。随意に、小型ＰＢＳを２Ｄ導光体（９）へと導入することができる。小型ＰＢＳを使用してＳ−偏光を通過させ、その間に、Ｐ−偏光を出力し、その後、Ｐ−偏光は、Ｓ−ｐｏｌになるように１／２の波長板によって回転され、通過したＳ−偏光と平行に組み合わせられ、それにより、５０％のパワーの損失を回避することができる。あるいは、２Ｄ導光体（９）に対して、均一の光（４Ｌ１）を生成するための他の実装が当技術分野で知られている。
【００３２】
その後、均一光（４Ｌ１）は、内部部分反射ファセット（１２）（選択反射ファセット（９２２）を備える上記ＬＯＥ（９０３）と同様）を有する、第１の導光体（１０）に入る。これらのファセットは、均一照明（４Ｌ）を有する光として第１の導光体（１０）からの内部伝播光を導光体（２０）へと反射するための角度になっている。
【００３３】
随意におよび好ましくは、第１の導光体（１０）から反射された均一照明（４Ｌ）を有する光は、その後、随意の偏光管理（３１４）を通過する。偏光管理（３１４）の構成要素は、偏光子（上述の偏光子（１０３）と同様）および１／２波長板を含み得る。導光体（２０）内の光の散乱を最小限にし、かつＬＣＯＳ（１０６）から高コントラスト画像を得るためには、純粋な偏光が好ましい。偏光子の配向は、ファセット（１２）によってカップルアウトされる最大強度の方向に沿っているのが好ましい（おそらくＳ−偏光）。一般に、コーティング（ファセット（１２）上の）および／またはワイヤグリッドがＰ−偏光よりはるかに高い効率でＳ−偏光を反射するため、均一の光（４Ｌ１）のＳ−ｐｏｌの構成要素のほとんどは、均一照明（４Ｌ）として反射されるだろう。第１の導光体（１０）によって放射される（および、使用される場合は偏光子によってフィルタリングされる）偏光の配向が、光伝播路における次のステージの最適な偏光と重ならない場合、波長板が必要である。典型的な場合では、第１の導光体（１０）からのＳ−ｐｏｌは、反射後にＰ−ｐｏｌとして配向され、したがって、Ｓ−ｐｏｌ配向を再び得るために１／２波長板が必要とされる。
【００３４】
ＬＣＯＳ（１０６）に入射する第１の偏光（３２４）の純度に応じて、偏光管理（３１４）は随意である（良好な画像コントラストのためには単一の偏光が好ましい）。偏光管理（３１４）は、好ましくは、第１の導光体（１０）中のＴＩＲを乱すことなく、できる限り薄くなければならない。１つの代替案は、低指数接着剤（例えば、ｎ〜１．３）によって、偏光管理（３１４）を第１の導光体（１０）と導光体（２０）との間に接着することである。
【００３５】
導光体（２０）がイメージングを行わないため、導光体（２０）内の光の伝播は、一連のファセットの方向に対応する導光体（２０）の軸に沿って注入することができる。この場合、低指数接着剤（例えば、ｎ＝１．３を有する）は、導光体（１０）および（２０）の外部ファセット上で使用することができる。上記接着剤は、２Ｄ導光体（９）と第１の導光体（１０）との間、導光体（２０）と投射光学系（１０７）（例えば、プリズム）との間、および導光体（２０）とＬＣＯＳ（１０６）との間にあってもよい。この方法ではエアギャップがなくなるだろう。
【００３６】
図３Ｄを参照すると、光源光学系（３００）の別の例示的な実施形態（３００Ｄ）の概略図が示される。光源（２Ｕ）は、２Ｄ導光体（９）へと垂直に導入される非偏光（４Ｕ）を放射する。光が伝播して２Ｄ導光体（９）内で反射すると、光の照射はより均一な（４Ｌ１）になる。その後、均一の光（４Ｌ１）は、（随意の偏光管理（３１４）および）導光体（２０）への均一照明（４Ｌ）を有する光として、テーパー状の非イメージング導光体（３２６）からの内部伝播光を横に拡大する、テーパー状の非画像化導光体（３２６）へと入る。
【００３７】
上記の例示的な実施形態の両方において、均一照明（４Ｐ）を有する偏光は、光源光学系（３００Ｃ、３００Ｄ）から出力されて導光体（２０）に入る。
【００３８】
随意に、導光体（２０）に光（均一照明（４Ｐ）を有する偏光）が注入される前に、不適切な角度分布を有する光、すなわち、所望の画像と重ならない光はフィルタリングされる。したがって、画像と重なる角度分布のみが導光体（２０）に注入される。この技術は散乱およびコントラスト低減を減少する。
【００３９】
導光体（導光体（２０）、第１導光体（１０））は、伝播光を内部に反射するために、金属コーティング、誘電体コーティング、あるいは全内反射（ＴＩＲ）に基づくことができる。第１導光体（１０）と導光体（２０）との間の面は、好ましくはＴＩＲに基づいた、角度選択透過率（ａｎｇｕｌａｒ  ｓｅｌｅｃｔｉｖｅ  ｔｒａｎｓｍｉｔｔａｎｃｅ）であることが好ましい。
【００４０】
アパーチャ管理および／または部分反射器、導波路に基づく反射、コーティング管理、および２Ｄ拡大の組み合わせは、偏光ビームスプリッタに基づくなどの従来の実装よりもコンパクトな、光学照明（３０２）のためのコンパクトシステムの特徴である。よりコンパクトなシステムは、コストの削減、重量の減少、および、おそらくイメージング／投射光学系（１０７）のためのより広い空間を可能にする。
【００４１】
＜他の実施例＞
図４Ａを参照すると、均一の角度応答を有するファセットの側面概略図が示される。ＬＣＯＳ（１０６）の照明は、導光体（２０）内のファセットの角度の反射率を構成することにより、改善することができる。導光体（２０）は、一連のファセット（９２２Ａ）（上記のファセットのセット（９２２）と同様）を含んでいる。ＬＣＯＳ（１０６）のいくつかの例示的なピクセル（４３４）が示される。均一照明（４Ｐ）を有する偏光は、角度分布（４３０）として導光体（２０）に入る。ファセット（９２２Ａ）は均一の角度応答を有し、したがって、反射ピクセル（４３４）はすべて、同じ照明角度の円錐（ｉｌｌｕｍｉｎａｔｉｏｎ  ａｎｇｌｅ  ｃｏｎｅｓ）（４３２）を見て、同じ照明角度の円錐（４３２）を反射する。例えば、投射光学系（１０７）がテレセントリックである場合、現在の構成はテレセントリック光学系のための照明を改善する。
【００４２】
図４Ｂを参照すると、異なる角度応答を有する面の側面概略図が示される。非テレセントリック光学系の構成については、ファセット（９２２Ｎ）（上記のファセットのセット（９２２）と同様）は異なる角度の反射率で構築することができ、異なる照明角度の円錐（４４０）を結果としてもたらす。この例示的な構成では、セクション（９２２Ｎ１）のファセットは、より大きな角度（各頂点が導光体（２０）の同じ１つの外面に垂直である、頂点に対して）で光を反射し、他のすべての角度に対しては透過性であるだろう。セクション（９２２Ｎ２）、（９２２Ｎ１）、および（９２２Ｎ３）内のファセットはすべて、同じ角度の広がりで反射するが、各セクションの角度の広がりは、異なる角度の広がり（中心）に対して相対的である。
【００４３】
参考までに、テレセントリック照明では、主光線はコリメートされ、画像および／または物体空間における光学軸と平行である。コリメートされた光線が物体の面に当たると、コリメートされた光線はコリメートされ続ける。それに比べて、標準的なバックライトからの光線は拡大し、互いに干渉する。この文書の文脈において、テレセントリック照明は、光の円錐がすべてのピクセル上に垂直に収束する照明を説明する。非テレセントリック照明では、異なるピクセルの各々は、ピクセルに対して異なる角度で傾けられる光の円錐によって照らされる。コリメーションは、ピクセル（ほとんど円錐分布）から反射された分散光を受け取り、反射光線すべてを特定方向に平行にする光学を説明するために使用される。異なるピクセルは異なる方向に「コリメートされる」。
【００４４】
＜均一照明＞
ＬＣＯＳ（１０６）にわたって均一照明を得るのを支援するために、Ｓ−偏光（第１の偏光）の反射率は、好ましくは導光体に沿って増加し、すなわち、光が導光体（２０）に沿って伝播するにつれて、一連のファセット（９２２Ｐ）の１つのファセットから後続のファセットへと増加するべきである。伝播路中の最初ファセットは比較的低い反射率を有し、最後のファセットは（第１の）Ｓ−偏光の比較的高い反射率を有するように設計されなければならない。ＬＣＯＳによって反射されたＰ−偏光（第２の偏光）の透過率は、各ファセットで最大でなければならない。すなわち、ファセットは、Ｐ−偏光に対してできるだけ透過性でなければならない。以下の記載において、一般に、Ｓ−ｐｏｌの反射率およびＰ−ｐｏｌの透過率が使用され、ならびに、単純化のために、テレセントリック照明が想定されるだろう。
【００４５】
第一要件は、（反射光（３２６）の）均一の画像強度を達成するために、好ましくは、ＬＣＯＳ（１０６）の照明が均一でなければならないことである。別の要件は、ニアアイディスプレイ光学系（投射光学系（１０７））の射出瞳も、最適な観測のために均一に照らされなければならないことである。これらの２つの要件は、ＬＣＯＳ（１０６）ピクセル（ピクセル（４３４））が均一に照らされ、かつ照明角度の円錐（４３２）の角度が均一あるべきであることを示唆する。言いかえれば、光学系の開口数にわたる１００％完全な空間照明および均一の角度の照明が好ましい。
【００４６】
光源光学系（３００）からの結合が導光体（２０）の入口を完全に満たす場合、ＬＯＥ導光体（２０）の均一照明を達成することができる。したがって、光源光学系（３００）の出口幅（３００Ｗ）は、好ましくは、導光体（２０）入力幅（２０Ｗ）と同等であるか、あるいはそれより広くなければならない。さらに、光源光学系（３００）も均一に照らされることが好ましく、それは、例えば、ディフューザーの使用および最初の２Ｄ導光体（９）の適切な期間の使用によって、達成することができる。
【００４７】
導光体（２０）内に入って伝播する光に多少の非均一性が存在する場合もあり、ファセット（９２２Ｐ）それ自体によって多少の均一性が導入される場合もある。この非均一性を減少させ、および対処するために、内部部分反射ファセット（１２）を有する第１の導光体（１０）と、一連の偏光選択ファセット（９２２Ｐ）を有する導光体（２０）は、重なり合う構成であることが好ましい。
【００４８】
図５Ａを参照すると、重ならないファセットを有する導光体（導光体（９２０）など）についての概略図が示され、画像の均一性に対する変化の影響を例証する。知覚される非均一性の原因は、異なる視野の内部ファセットの角度の重なりに関係する。本明細書で説明される導光体の領域では、導光体は内部ファセットを含んでいる（最後のファセット（２５１５）および最初ファセット（２５１７）として２つが示される）。カップルアウトされた光のほとんどは、単一の内部ファセットから反射される。しかし、ファセットの端に、軸外角度で非均一性が存在する。左（実線の矢として示される）を指すＦＯＶの領域については、従来の隙間面積（２５２０）（一般に「アンダーラップ領域」、「黒線」領域、あるいは「暗いストリップ」領域とも呼ばれる）は、いかなる光も反射しないだろう。なぜなら、この角度では、最後のファセット（２５１５）および最初のファセット（２５１７）によって反射される光の間に有効な隙間があり、知覚されたものの中に暗いストリップを結果としてもたらすからである。他方では、右（破線の矢として示される）にカップルアウトされた光は、従来の明るい領域（２５２５）（一般に「部分的に重なり合う」領域、あるいは「強烈な」領域とも呼ばれる）を有し、その中に、導光体がほぼ２倍の量の光を反射するように、（２５１５）と（２５１７）から反射された光の重なりが存在する。したがって、現在の図における非均一性は、異なるＦＯＶの領域および眼位において、拡大アパーチャにわたる中央の画像強度のおよそ２００％〜０％の間で変動するだろう。
【００４９】
図５Ｂを参照すると、重なるファセットを備えた導光体の概略図が示され、画像均一性に対する変化の効果を例証する。現在の図で例証されるように、実質的な重なりがファセット間で導入される。この場合、隣接するファセット間の間隔は半減され、結果として、ほとんどの眼位でのＦＯＶの大部分が、２つのファセットからの重なる反射を介して画像から照明を受け取る。この例示的ケースでは、単一の中間ファセット（２５３５）は、最後のファセット（２５１５）と最初のファセット（２５１７）との間に構成される。たった１つのファセット（中央のファセット（２５３５））から始まる重ならない領域（２５４０）と、３つの隣接するファセット（２５１７、２５３５、および２５１５）が寄与する明るい領域（２５４５）とによって例証されるように、画像の角度の末端およびファセットの末端の近くには、画像の特定の領域に寄与する重なるファセット数に変化がまだ見られるだろう。したがって、出力の非均一性は、中央反射率の５０％〜１５０％の間で変化するだろう。
【００５０】
ファセット（２５１７）の前半（右から伝播する光）からの光は、この位置では次のファセット（２５３５）の重なりがなく、つまり、オブザーバーへと光を反射する１つのファセットのみがあるため、縮小したエネルギー（光線／出力ビーム（２５４６））としてカップルアウトされるだろう。同じ減少したパワーが、ファセット（２５１５）（光線／出力ビーム（２５４７））の後半で発生する。これらの領域では、反射率は中央反射率の５０％になるだろう。
【００５１】
図を５Ｃ参照すると、３倍のファセット（３倍のファセット交差、３倍の重なり）の概略図が示される。他の例と同様に、導光体（導光体（２０））は、第１の面（２６、２６Ａ）の間で二重線として示される、重なる内部ファセット（９２２Ｔ）を含んでいる。実線の矢は、３つのファセットを横切り、その後、基板からカップルアウトされた公称光線を示す（カップルアウトする光線の矢印（３８Ｂ））。同様の図において、破線はファセット（９２２Ｔ）のアラインメントを示すために使用される。この例において、複数（特に２つ）の最初の部分的なファセットおよび複数（２つ）の最後の部分的なファセットが示される。
【００５２】
現在の実施形態において、重なる構成におけるファセットの構成の管理、具体的には、重なりを最適化して、光をオブザーバー上へと反射するファセット（１つより多い）の定数を得ること、言いかえれば、少なくとも２つのファセットがオブザーバーのＦＯＶへと光を反射することにより、導光体からの光出力の非均一性を減少することができる。
【００５３】
図６を参照すると、第１の例示的な実施形態（３００Ｃ）によって供給されている導光体（２０）（図３Ａ、図３Ｂ）の角度空間アーキテクチャの概略図が示される（図３Ｃ）。導光体（２０）から光を抽出する効率は、ファセット（９２２Ｐ）の角度およびコーティングのパラメータに依存する。現在の場合に使用される例示的なパラメータは、ＢＫ７グラスおよびＭＹ−１３０接着剤に基づくが、他の光学材料が使用されてもよい。
【００５４】
第１の導光体（１０）の臨界角（６０）（円として表される）は、ｎ＝１．３を有する保護コーティングで囲まれたＢＫ７グラス導光体内で５９度である。４つの円は、導光体（２０）の４つの外部ファセットの臨界角（６０）を表す。偏光されていない光源（２Ｕ）および２Ｄ導光体（９）は均一照明分布を生成し、それゆえに、我々は、単純化するために、臨界角（６２）間の角度領域が均一に照らされると仮定することができる。投射光学系（１０７）の長方形のアパーチャがｆ／２を有すると仮定すると、必要な画像光の角度発散の半分は、照明（６４）によって示されるように１４度である。必要な照明（６６）によって示されるように、４５度のファセット（１２）によって導光体（２０）上に反射されるまで、この必要な照明の角度分布が第１の導光体（１０）に沿って伝播する。必要な照明（６６）が第１の導光体（１０）に沿って伝播するにつれて、必要な照明（６６）は、照明（６８）によって示されるように、導光体（２０）からＬＣＯＳ（１０６）上へと、４５度のファセット（９２２Ｐ）によって反射される。
【００５５】
散乱を最小限にするために、ファセット（１２）およびファセット（９２２Ｐ）上のコーティングが、必要な角度のみにおいてＳ−偏光の反射率を有することが望ましい。この例において、これは４５度を中心におよそ±１４でなければならない。
【００５６】
本発明のこの構成の効率は、照明（６４）の必要な角度領域に対する照明角度分布（臨界角（６２）によって画定される角度領域内の）の比によって決定される。必要な分布と重なる、制限された角度分布を有する２Ｄ導光体（９）（随意のディフューザーを含む）は、効率を改善するために随意に使用することができる。
【００５７】
図７を参照すると、エネルギー抽出が改善された、図６の角度空間アーキテクチャの概略図が示される。軸および臨界角は、図６を参照して説明されたものと同じ物である。
【００５８】
必要な光学照明の角度分布（７０）は、図６と同じパラメータを有するが、中心から外れている（ｏｆｆ−ｃｅｎｔｅｒ）。このように、この分布は、第１の導光体（１０）の４つの外部ファセットによって反射されて、分布（７０）、（７２）、（７４）、および（７６）を生成する。４つの分布が第１の導光体（１０）に沿って伝播するにつれて、これらの４つの分布はエネルギーと関わる（ｅｎｇａｇｅ）。
【００５９】
この実施形態におけるファセット（１２）は３７度であり、２０〜５３度（ファセットの頂点に対して）の間の角度で、部分的にＳ−偏光を反射するコーティングを有する。これらのファセット（１２）は、それぞれ分布（７８）および（８０）として、導光体（２０）上で分布（７０）ならびに（７２）を反射するだろう。２つの分布が導光体（２０）に沿って伝播するにつれて、これらの２つの分布（７８、８０）もエネルギーを交換する。
【００６０】
導光体（２０）（この例において、第１の導光体（１０）と同じパラメータを有する）内のファセット（９２２Ｐ）は、分布（８２）としてＬＣＯＳ（１０６）上に導光体（２０）からの分布（７８）を部分的に反射する。
【００６１】
現在の実施形態では、ファセットは部分的に光を反射し、および、導光体内の他の分布との連続的な結合は、より多くのエネルギーが必要な分布に結合されることを可能にする。（７０）、（７２）、（７４）、および（７６）の組み合わせた分布が、第１の導光体（１０）の臨界角間の照明角度分布を効率的に満たすことは、現在の図から明白である。
【００６２】
大きい角度（ファセットの法線に対して）で伝播する光を、比較的より浅い角度で伝播するように変換するために、ファセット（１２、９２２Ｐ）の組み合わせおよび対応するコーティングを、導光体（１０、２０）内で設計することができる。この設計の組み合わせは、好ましくは、Ｓ−偏光に関してのみ、高角度の反射と低角度のファセットに基づくことができる。この設計の組み合わせは、光が高角度で伝播することを可能にする実装と比較して、効率を改善することができる。
【００６３】
図８を参照すると、図７の構成のために設計されたコーティングの性能のチャートが示される。現在のチャートにおける性能は、重なるファセットを含んでいる。Ｓ−偏光Ｒｓ（ＬＣＯＳ（１０６）へと向かう）の反射率は１０−１５％であり、Ｐ−偏光Ｔｐ（ＬＣＯＳ（１０６）から投射光学系（１０７）へと向かう）の透過率は、＞９５％である。他の画像Ｔｓ（７４、７６、および８０）の透過率は、角度スペクトルのほとんどにおいて比較的良く、＞８５％である。Ｒｓの反射率は、観察不可能な方向へのエネルギー損失を引き起こす場合がある。
【００６４】
図８のコーティング設計は例示的な多層屈折の構成に基づく。しかし、異なる屈折率を有する接着剤を含む低コスト（多少性能が低い）の単層を使用してもよい。
【００６５】
図９を参照すると、第２の例示的な実施形態（３００Ｄ）のテーパー状の（あるいは、シリンドリカルレンズ）拡大を含む構成の角度分布の概略図が示される。第２の例示的な実施形態（３００Ｄ）で示される構成は、２Ｄ導光体（９）からの光（テーパー状の非イメージング導光体（３２６）を使用する偏光されていない光（４Ｕ）のテーパー状の１Ｄ拡大について説明する。この拡大は、随意に、シリンドリカルレンズによる場合もある。配光のエテンデュ（Ｅｔｅｎｄｕｅ）の保存により、これらのタイプの拡大を行なうことは周知の事実である。このように、照明の幅の空間的拡大は、同じ軸での照明の角度分布の同等の減少を伴う。
【００６６】
２Ｄ導光体（９）（すべての臨界角間の照明）中の角度照明分布は、領域（８４）として表される。テーパー変換は、薄い長方形（８６）への変換として表される（一方向から他の方向への回転は必須でなく、単純化のためである）。
【００６７】
必要な強度分布（８８）および（９０）はエネルギーを交換し、および、図７の（７８）ならびに（８０）と同じ方法で、ファセット（９２２Ｐ）によって（９２）に結合される。このように、導光体（９）からの光エネルギーの必要な照明分布への変換は効率化される。
【００６８】
図１０Ａを参照すると、光学照明（３０２Ａ）のための第１の随意のアーキテクチャの概略図が示される。傾けられた角度は、第１の導光体（１０）と導光体（２０）との間にあり、図８に示されるコーティングの角度パラメータを最適化するために使用することができる。
【００６９】
図１０Ｂおよび図１０Ｃを参照すると、光学照明（３０２Ｂ）のための第２の随意のアーキテクチャの側面概略図ならびに正面概略図がそれぞれ示される。光源光学系（３００）は、ファセットの第１のセット（９２２Ｍ）およびファセットの第２のセット（９２２Ｎ）を有する、重なる導光体（２０Ａ）へと均一照明光（４Ｌ１）（この場合、偏光された、あるいは偏光されていない）を提供する。ファセットの第１および第２のセットの交差（重なる）配向は、重なる導光体（２０Ａ）内のソース開口の横方向の拡大を引き起こし、第１の偏光（３２４）を投射しながら第２の直交する偏光（３２６）を透過させる。
【００７０】
図１１Ａおよび図１１Ｂを参照すると、導光体（１０）ならびに（２０）の内部ファセットによる反射過程が示される。２つの基本的構成が示され、ビームおよびファセットの相対的角度が異なる。この概略図では、対応する導光体の側面図から観察されるように、同じ幾何学的考察が各々に適用されるため、ビーム（ａ１）、（ａ２）および（ｂ１）は同じベクトル（単純化のためにビーム（ｂ１）と呼ばれる）として表される。ビーム（ａ３）、（ａ４）および（ｂ２）も同じベクトル（（ｂ２）のみを参照）として表される。ビーム（ｂ１）は（７４）、（７８）、（８０）、あるいは（９０）を表す。ビーム（ｂ２）は（７０）、（７２）、（７８）、あるいは（８８）を表す。
【００７１】
光ビーム（ｂ２）は、実際には、図１１Ａの２つのベクトルによって示されるように、同じ方向に伝播する光束である。この場合、１つのベクトルは、外面によって反射されてビーム（ｂ１）になり、１つのベクトルの一部がビーム（ｃ１）として反映される内部面（４０）（ファセット（９２２Ｐ）に対応する）へと到達する。もう１つのビーム（ｂ２）のベクトルは、ファセットによりベクトルビーム（ｃ２）として直接反射される。ベクトルビーム（ｃ１）および（ｃ２）は、正像とゴースト像を表し、必ずしもこの順でなくてもよい。この構成では、ビーム（ｂ１）および（ｂ２）は、同じ側からファセット（４０）に入射する。
【００７２】
図１１Ｂは、図１１Ａを参照して説明したものと同様のプロセスについて説明するが、ビーム（ｂ１）と（ｂ２）はファセット（４０）の反対側からファセット（４０）に入射するような構造になっている。
【００７３】
両方の場合では、Ｓ−偏光およびＰ−偏光における画像（ｃ１）ならびに（ｃ２）の反射の大きさは、これらのファセット（４０）上のコーティングによって決定される。好ましくは、一方の反射は画像であり、他方の反射は抑制される。これは、もう１つの画像が望まれない「ゴースト」像に相当するためである。入射ビーム角度のどの範囲が反射されるか、あるいは、入射ビーム角度のどの範囲が透過させるかを制御するための適切なコーティングは、本発明と同時に譲渡された米国特許第７，３９１，５７３号および第７，４５７，０４０号において詳細に記載される。
【００７４】
上記の例は、使用される数、および例示的な計算は、この実施形態の説明を支援するためのものであることに留意すべきである。不注意による誤植、数学的なエラー、および／または単純化された計算の使用は、発本明の有用性および基礎的な利点を損なわない。
【００７５】
添付された請求項が複数従属することなく作成されている範囲内において、これは、そのような複数従属を許可しない管轄の方式要件に適応させるためだけに行われている。請求項を複数に従属させることにより暗示される特徴のすべての可能性のある組み合せが明示的に想定されており、本発明の一部とみなされなければならないことに留意されたい。
【００７６】
上記の説明は例としての役割を果たすことのみが意図され、多くの他の実施形態が、添付の請求項において定義されるように、本発明の範囲内で可能であることが認識されるであろう。
【図１】
2020528569.tif 000003
【図２】
2020528569.tif 000004
【図３Ａ】
2020528569.tif 000005
【図３Ｂ】
2020528569.tif 000006
【図３Ｃ】
2020528569.tif 000007
【図３Ｄ】
2020528569.tif 000008
【図４Ａ】
2020528569.tif 000009
【図４Ｂ】
2020528569.tif 000010
【図５Ａ】
2020528569.tif 000011
【図５Ｂ】
2020528569.tif 000012
【図５Ｃ】
2020528569.tif 000013
【図６】
2020528569.tif 000014
【図７】
2020528569.tif 000015
【図８】
2020528569.tif 000016
【図９】
2020528569.tif 000017
【図１０Ａ】
2020528569.tif 000018
【図１０Ｂ】
2020528569.tif 000019
【図１０Ｃ】
2020528569.tif 000020
【図１１】
2020528569.tif 000021
【国際調査報告】
2020528569.tif 000022
2020528569.tif 000023
2020528569.tif 000024